(57)【要約】【課題】コンセントに対してプラグを着脱する際に生じる荷重によってフロアプレートが変形しにくくしたフロアコンセントを提供する。【解決手段】フロアコンセント１は、床に設けられた開口部に臨むようにして上記床に埋込配設されるボックス２と、プラグが着脱自在に差し込まれる電源コンセント４０を有しボックス２内に収納され且つボックス２に固定されるコンセントブロック４と、上記開口部を閉塞する位置と上記開口部を開放する位置との間で開閉される扉７１を有し上記開口部を閉塞するフロアプレート７とを備えている。【選択図】図１
2014220974.tif 000002
【特許請求の範囲】
【請求項１】
床に設けられた開口部に臨むようにして前記床に埋込配設されるボックスと、
プラグが着脱自在に差し込まれるコンセントを有し前記ボックス内に収納され且つ前記ボックスに固定されるコンセントブロックと、
前記開口部を閉塞する位置と前記開口部を開放する位置との間で開閉される扉を有し前記開口部を閉塞するフロアプレートとを備えていることを特徴とするフロアコンセント。
【請求項２】
前記ボックスに対する高さ位置を調整可能であって、設置状態において上面が前記フロアプレートの下面に面接触する調整板を備えていることを特徴とする請求項１記載のフロアコンセント。
【発明の詳細な説明】
【技術分野】
【０００１】
本発明は、フロアコンセントに関するものである。
【背景技術】
【０００２】
従来より、コンクリート製の床に埋込配設されるフロアコンセントが提供されている（例えば特許文献１参照）。このフロアコンセントは、上面が開口する矩形箱状に形成されたボックスと、上記開口を閉塞するようにしてボックスに取り付けられるカバーと、プラグが着脱自在に差し込まれるコンセントブロックと、カバーに取り付けられるフロアプレートとを備える。
【０００３】
カバーは、下面が開口する扁平な矩形箱状に形成され、カバーの中央部には、コンセントブロックを収納するための凹部が設けられており、この凹部を閉塞するようにしてフロアプレートが取り付けられる。
【０００４】
コンセントブロックは、プラグが着脱自在に差し込まれる電源コンセントと、電源コンセントを取り付けるための取付金具とで構成され、取付金具は、下端部においてカバーに取り付けられ且つ上端部においてフロアプレートに取り付けられる。
【先行技術文献】
【特許文献】
【０００５】
【特許文献１】特開平５−２３６６２３号公報
【発明の概要】
【発明が解決しようとする課題】
【０００６】
上述の特許文献１に示したフロアコンセントでは、電源コンセントが取り付けられた取付金具がフロアプレートに固定されており、プラグを抜き差しする際にはフロアプレートに荷重がかかってしまう。そのため、フロアプレートの厚みが薄い場合には、上記荷重によってフロアプレートが変形する虞があった。
【０００７】
本発明は上記問題点に鑑みて為されたものであり、その目的とするところは、コンセントに対してプラグを着脱する際に生じる荷重によってフロアプレートが変形しにくくしたフロアコンセントを提供することにある。
【課題を解決するための手段】
【０００８】
本発明のフロアコンセントは、床に設けられた開口部に臨むようにして床に埋込配設されるボックスと、プラグが着脱自在に差し込まれるコンセントを有しボックス内に収納され且つボックスに固定されるコンセントブロックと、開口部を閉塞する位置と開口部を開放する位置との間で開閉される扉を有し開口部を閉塞するフロアプレートとを備えていることを特徴とする。
【０００９】
このフロアコンセントにおいて、ボックスに対する高さ位置を調整可能であって、設置状態において上面がフロアプレートの下面に面接触する調整板を備えているのが好ましい。
【発明の効果】
【００１０】
コンセントブロックがボックスに固定されているので、コンセントに対してプラグを着脱する際に生じる荷重はボックスに加えられることになる。その結果、フロアプレートには荷重が加わらないので、フロアプレートが変形しにくくなるという効果がある。
【図面の簡単な説明】
【００１１】
【図１】本実施形態のフロアコンセントの一例を示す分解斜視図である。
【図２】同上の設置状態を示す断面図である。
【図３】同上に用いられるフロアプレートを示し、（ａ）は上面図、（ｂ），（ｃ）は側面図である。
【発明を実施するための形態】
【００１２】
以下に、フロアコンセントの実施形態について図１〜図３を参照しながら説明する。本実施形態のフロアコンセント１は、図２に示すように、コンクリート製の床１００に埋込配設され、ボックス２内に収納された電源コンセント４０にプラグ（図示せず）を差し込むことで、プラグが接続された電気機器（図示せず）に対して電力を供給する。なお、以下の説明では特に断りがない限り、図２中の上下方向を上下方向と規定して以下の説明を行う。
【００１３】
図１は本実施形態のフロアコンセント１の一例を示す分解斜視図であり、このフロアコンセント１は、ボックス２と、埋込カバー３と、コンセントブロック４と、調整板５，６と、フロアプレート７とを備える。
【００１４】
ボックス２は、金属製であって、上面が開口する矩形箱状に形成されている。ボックス２の対向する２つの側面には、埋込カバー３を取り付けるための取付片２０２がそれぞれ設けられており、各取付片２０２には、埋込カバー３をボックス２に取り付けるための取付ねじ１１がねじ込まれるねじ孔２０２ａが設けられている。
【００１５】
また、ボックス２の底面には、接地線１８をボックス２に取り付けるための取付ねじ１２がねじ込まれるねじ孔２０３が設けられている。さらに、ボックス２の１つの側面（図２中の左側の側面）には電線管１１０が取り付けられている。
【００１６】
埋込カバー３は、金属材料により矩形枠状に形成された本体部３０を有し、本体部３０の中央には横長且つ矩形の開口部３０１が設けられている。また、本体部３０の四隅には、調整板６の高さ位置を調整するための調整ねじ１４がねじ込まれるねじ孔３０５が設けられ、さらにボックス２の各ねじ孔２０２ａに対応する部位には、取付ねじ１１が挿通される挿通孔３０４が設けられている。
【００１７】
また、開口部３０１の長手方向に沿う開口端縁には、上向きに延出し且つ先端側が外向き（開口部３０１と反対側の向き）に折り曲げられた取付片３０２，３０３がそれぞれ設けられている。取付片３０２には、コンセントブロック４を埋込カバー３に取り付けるための取付ねじ１３がねじ込まれるねじ孔３０２ａが設けられ、さらに取付片３０３には、同様に、取付ねじ１３がねじ込まれるねじ孔３０３ａが設けられている。
【００１８】
コンセントブロック４は、プラグ（図示せず）を差し込むための差込孔が横並びに２個設けられた電源コンセント４０（コンセント）と、電源コンセント４０を取り付けるための取付金具４１とで構成される。取付金具４１は、横長且つ矩形板状に形成され幅方向における一端側が上側、他端側が下側となるように斜めに配置される本体部４１１を有し、本体部４１１の中央には、電源コンセント４０の機能面を露出させるための矩形の開口部４１１ａが設けられている。
【００１９】
本体部４１１の上記一端側には、水平に延出する延出部４１２が設けられ、延出部４１２の先端には、取付ねじ１３が挿通される溝４１４ａを有する取付片４１４が設けられている。また、本体部４１１の上記他端側には、斜め上方に延出する延出部４１３が設けられ、延出部４１３の先端には、取付ねじ１３が挿通される溝４１５ａを有する取付片４１５が設けられている。
【００２０】
なお、電源コンセント４０を取付金具４１に取り付けた状態では、図１に示すように、電源コンセント４０の機能面が開口部４１１ａを通して本体部４１１の前面側に露出している。そして、フロアコンセント１を設置した状態では、図２に示すように、上記機能面が斜め上方を向くようにしてコンセントブロック４が配置される。
【００２１】
調整板５は、金属材料により矩形枠状に形成された本体部５０を有し、本体部５０の中央には矩形の開口部５０１が設けられている。また、本体部５０の四隅には、調整ねじ１４が挿通される挿通孔５０２と、調整板６を調整板５に取り付けるための取付ねじ１５がねじ込まれるねじ孔５０３とがそれぞれ設けられている。
【００２２】
調整板６は、調整板５と同様に、金属材料により矩形枠状に形成された本体部６０を有し、本体部６０の中央には矩形の開口部６０１が設けられている。また、本体部６０の四隅には、取付ねじ１５が挿通される挿通孔６０２と、フロアプレート７を調整板６に取り付けるための取付ねじ１６がねじ込まれるねじ孔６０３とがそれぞれ設けられている。
【００２３】
フロアプレート７は、例えばアルミダイキャスト製品であって、プレート枠７０と、扉７１と、通線チップ７２とで構成される。プレート枠７０は、図１及び図３に示すように矩形枠状に形成され、プレート枠７０の中央には矩形の開口部７０１が設けられている。また、プレート枠７０において開口部７０１の四隅には、取付ねじ１６が挿通される挿通孔７０２がそれぞれ設けられている。
【００２４】
扉７１は、図１及び図３に示すように矩形板状に形成され、扉７１の１辺（図３（ａ）中の下側の１辺）には、横長且つ矩形の溝７１１が設けられている。また、扉７１において溝７１１の近傍には、扉７１を開閉する際に操作される開閉ボタン７３を露出させるための矩形の開口部７１２が設けられている。ここに、扉７１の外形寸法（図３（ａ）中の上下寸法及び左右寸法）は、プレート枠７０の開口部７０１の開口寸法よりもわずかに小さい寸法に設定されている。
【００２５】
この扉７１は、溝７１１が設けられた１辺と隣接する他の１辺（図３（ａ）中の左側の１辺）においてプレート枠７０に軸支されている。そして、扉７１は、プレート枠７０の開口部７０１を閉塞する位置（図３（ａ）に示す位置）と、開口部７０１を開放する位置（図１に示す位置）との間で開閉される。
【００２６】
通線チップ７２は、図１〜図３に示すように、横長且つ矩形板状に形成された本体部７２１を有し、本体部７２１の下面には、下向きに延出する複数（本実施形態では３個）の脚部７２２が等間隔で横並びに設けられている（図３（ｂ）参照）。また、隣接する脚部７２２間には、プラグに接続された電線を保護するためのブッシュ７４が設けられている。なお、通線チップ７２の本体部７２１の外形寸法（図３（ａ）中の上下寸法及び左右寸法）は、扉７１の溝７１１の開口寸法よりもわずかに小さい寸法に設定されている。
【００２７】
この通線チップ７２は、幅方向における１辺（図３（ａ）中の上側の１辺）において扉７１に軸支されており、扉７１の溝７１１を閉塞する位置（図３（ａ）に示す位置）と、溝７１１を開放する位置（図２に示す位置）との間で開閉される。
【００２８】
次に、フロアコンセント１の設置手順について説明する。なお以下の説明では、埋込カバー３が取り付けられたボックス２が、コンクリート製の床１００の所定位置に埋め込まれており、また電源コンセント４０が取付金具４１に取り付けられているものとして説明を行う。
【００２９】
まず最初に、作業者は、電線管１１０を通してボックス２内に引きこまれた電源線（図示せず）を電源コンセント４０の速結端子（図示せず）に接続するとともに、電線管１１０を通してボックス２内に引き込まれた接地線１８をボックス２の底面にねじ固定する。その後、作業者は、埋込カバー３の開口部３０１を通してコンセントブロック４をボックス２内に収納した状態で、取付ねじ１３を用いてコンセントブロック４を埋込カバー３に取り付ける。このとき、コンセントブロック４は、取付金具４１の本体部４１１の長手方向と、埋込カバー３の開口部３０１の長手方向とが同じ方向となるように配置される。
【００３０】
次に、作業者は、調整板５の挿通孔５０２に挿通させた調整ねじ１４を埋込カバー３のねじ孔３０５にねじ込む。このとき、作業者は、床１００の上面に敷設される表面材１２０（例えばタイルカーペット）の厚みに応じて調整ねじ１４の高さを調整する。さらに、作業者は、取付ねじ１５を用いて調整板６を調整板５に取り付ける。調整板６を調整板５に取り付けると、調整ねじ１４の頭部が調整板５と調整板６の間に挟まれ、上側の調整板６が、調整ねじ１４のねじ込み量によって決まる高さ位置に保持される。
【００３１】
そして最後に、作業者は、取付ねじ１６を用いてフロアプレート７を調整板６に取り付ける。このとき、扉７１の軸方向と埋込カバー３の開口部３０１の幅方向とが同じ方向で、且つ通線チップ７２が電線管１１０側となる向きで、フロアプレート７が調整板６に取り付けられる。以上の手順により、フロアコンセント１の設置が完了する（図２参照）。ここに、フロアコンセント１を床１００に設置した状態では、調整板６の本体部６０の上面がフロアプレート７のプレート枠７０の下面に面接触している。
【００３２】
次に、電源コンセント４０にプラグを接続する手順について説明する。まず最初に、使用者は、開閉ボタン７３を開方向にスライドさせてフロアプレート７の扉７１を開き、ボックス２内に収納された電源コンセント４０にプラグを差し込む。続けて、使用者は、扉７１を開いたままで通線チップ７２を開方向へ移動させた後、通線チップ７２を開いたままで扉７１を閉じる。このとき、プラグに接続された電線（図示せず）は、ブッシュ７４により保護されるとともに、通線チップ７２の開口を通して外部に導出される。
【００３３】
また、電源コンセント４０からプラグを取り外す手順について説明する。まず最初に、使用者は、開閉ボタン７３を開方向にスライドさせてフロアプレート７の扉７１を開き、電源コンセント４０からプラグを取り外す。続けて、使用者は、扉７１を開いたままで通線チップ７２を閉方向へ移動させた後、扉７１を閉じる。このように、フロアコンセント１を使用しない状態では、通線チップ７２を閉じておくことで、通線チップ７２が邪魔にならない。
【００３４】
本実施形態のフロアコンセント１によれば、コンセントブロック４が埋込カバー３を介してボックス２に固定されているので、電源コンセント４０に対してプラグを着脱する際に生じる荷重はボックス２に加わえられることになる。その結果、フロアプレート７には荷重が加わらないので、フロアプレート７が変形しにくくなるという利点がある。
【００３５】
また、フロアコンセント１を床１００に設置した状態では、調整板６の本体部６０の上面がフロアプレート７のプレート枠７０の下面に面接触しているので、フロアプレート７が踏まれた場合には調整板６が荷重を受けることになる。その結果、フロアプレート７に加わる荷重を抑えることができ、フロアプレート７の厚みが薄い場合でもフロアプレート７が変形しにくくなるという利点もある。
【００３６】
なお、本実施形態のフロアコンセント１は一例であって、コンセントブロック４がボックス２に固定される構成であれば、他の形態でもよい。また本実施形態では、ボックス２内に収納されるコンセントとして電源コンセント４０を例に説明したが、例えばモジュラーコンセントやＬＡＮコンセントなどであってもよく、本実施形態に限定されない。
【符号の説明】
【００３７】
１  フロアコンセント
２  ボックス
４  コンセントブロック
４０  電源コンセント（コンセント）
７  フロアプレート
７１  扉
【図１】
2014220974.tif 000003
【図２】
2014220974.tif 000004
【図３】
2014220974.tif 000005